(57)【要約】【課題】正当な経路で複製されたコンテンツ（公的複製コンテンツ）が、正当な権限なく複製されたコンテンツよりも有利な形態で流通可能となる。【解決手段】本発明の情報再生装置は、コンテンツ情報に付加された該コンテンツ情報を再生する際に必要なライセンス情報に基づき該コンテンツ情報を再生する情報再生装置において、暗号化されたコンテンツ情報を前記ライセンス情報の内容に基づき公的複製コンテンツ情報であるか私的複製コンテンツ情報であるかを判別する判別手段と、この判別手段で私的複製コンテンツ情報と判別されたコンテンツ情報は、公的複製コンテンツ情報よりも厳しい制限で再生する再生手段とを具備する。【選択図】    図８
2008210504.tif 000002
【特許請求の範囲】
【請求項１】
コンテンツ情報と該コンテンツ情報を再生する際に必要なライセンス情報とを記録媒体に記録する情報記録装置において、
コンテンツ情報とライセンス情報とを入力する入力手段と、
前記ライセンス情報で示される前記コンテンツ情報の種別が、販売権を持つ者により複製された公的複製コンテンツ情報である場合に、前記ライセンス情報で示されるコンテンツ情報の種別を、販売権を持たない者により複製された私的複製コンテンツ情報へ修正する修正手段と、
この修正手段で修正されたライセンス情報とともに前記入力されたコンテンツ情報を前記記録媒体に記録する記録手段と、
を具備したことを特徴とする情報記録装置。
【請求項２】
前記ライセンス情報は、前記コンテンツ情報に対応するコピー回数制限情報を含み、
前記修正手段は、前記ライセンス情報のコピー回数制限情報をより制限するように修正することを特徴とする請求項１に記載の情報記録装置。
【請求項３】
前記入力されたコンテンツ情報を暗号化する第１の暗号化手段と、
前記暗号化されたコンテンツ情報を復号するための鍵情報を前記記録媒体の識別子に依存する鍵情報で暗号化する第２の暗号化手段とをさらに具備し、
前記記録手段は、前記修正手段で修正されたライセンス情報と前記第２の暗号化手段で暗号化された前記鍵情報と前記暗号化されたコンテンツ情報を前記記録媒体に記録することを特徴とする請求項１または請求項２に記載の情報記録装置。
【請求項４】
前記入力されたコンテンツ情報は、アナログ信号であることを特徴とする請求項１乃至請求項３のいずれか１項に記載の情報記録装置。
【請求項５】
前記ライセンス情報は、前記コンテンツ情報の種別が、公的複製コンテンツ情報であることを検証するための検証情報を含むことを特徴とする請求項１乃至請求項４のいずれか１項に記載の情報記録装置。
【請求項６】
前記入力されたコンテンツ情報を劣化させる劣化手段をさらに備え、
前記記録手段が、前記修正手段で修正されたライセンス情報とともに、前記劣化手段で劣化されたコンテンツ情報を前記記録媒体に記録することを特徴とする請求項１乃至請求項５のいずれか１項に記載の情報記録装置。
【発明の詳細な説明】
【技術分野】
【０００１】
本発明は画像や音声等のコンテンツの記録再生装置に関する。
【背景技術】
【０００２】
ＣＤプレーヤを始めとするデジタルコンテンツ再生装置は音質が綺麗なこと、
長時間の使用による音質劣化が少ないことなどから、多くの利用者がある。
【０００３】
しかし、コンテンツがデジタルであるが１ビットずつオリジナルを忠実に複製
することによって、劣化なくコピーすることが可能となっており、実際そのよう
な機器が販売されている。そのようなコピー機器の存在はコンテンツ利用者にと
っては大きなメリットではあるが、コンテンツ供給者からはコンテンツの販売に
甚大な影響を与えるために好ましくはない。このためコンテンツ供給業者は新し
いデジタル機器（及びメディア）が出た際はこれにコンテンツを供給しないこと
で対抗している。
【０００４】
だが、この状況は、新しい電子機器の普及にあたって、大きな障害となり、そ
の利便性を殆どの人が享受できないばかりかコンテンツ供給者もビジネスチャン
スを失っている。
【０００５】
また一方で、私的利用のための私的複製は著作権法でも認められた権利であり
、実際現在までの多くの電子機器にあっては（アナログ記録への制限など）複製
方式に制限はあるが認められてきた。だが、今後デジタルでの記録が主流になる
と私的複製と公的複製の区別が付きにくくなると同時に私的利用の判別が難しく
なる。
【０００６】
なお、ここでは、私的複製とは当該ソースの販売権を持たない人によるコピー
を言い、公的複製は当該ソースに販売権を持つ人によるコピーを言う。即ち、公
的複製とは従来のコンテンツ販売と同等の手段でなければ取得できないものであ
り、インターネット上の電子商店からの販売も含まれる。
【発明の開示】
【発明が解決しようとする課題】
【０００７】
以上の問題点に鑑み、本発明は、コンテンツが公的複製であるか私的複製であ
るによって当該コンテンツの再生方式を切り替え、公的複製の方が私的複製より
も有利な利用形態を許すことにより、正式な販路にのっている公的複製の需要を
増やし、コンテンツ供給者、コンテンツ利用者、電子機器供給者に利害にかなっ
た情報流通機構を構築できる情報再生装置、情報記録装置および情報販売装置お
よび情報購入装置および情報自動販売機を提供することを目的とする。
【課題を解決するための手段】
【０００８】
本発明では前記の課題を解決するため、暗号化コンテンツの利用を当該暗号化
コンテンツに対応するライセンス情報によって制御すると同時に、公的複製であ
る暗号化コンテンツに対応したライセンス情報にはコンテンツ販売が許可されて
いるコンテンツ販売サーバだけが知っている公開鍵暗号方式の秘密鍵によって署
名することにより、デジタル署名の有無によって公的複製と私的複製を判別し、
判別結果に基づいて当該コンテンツの再生手段を変え、公的複製の方が私的複製
よりも有利な再生手段で再生できる方式を実現する。
【０００９】
（１）本発明の情報再生装置は、コンテンツ情報に付加された該コンテンツ情
報を再生する際に必要なライセンス情報に基づき該コンテンツ情報を再生する情
報再生装置において、暗号化されたコンテンツ情報を前記ライセンス情報の内容
に基づき公的複製コンテンツ情報であるか私的複製コンテンツ情報であるかを判
別する判別手段と、この判別手段で私的複製コンテンツ情報と判別されたコンテ
ンツ情報は、公的複製コンテンツ情報よりも厳しい制限で再生する再生手段とを
具備する。
【００１０】
また、前記ライセンス情報に含まれる公的複製であることを検証するための検
証情報に基づき、公的複製コンテンツ情報であるか私的複製コンテンツ情報であ
るかを判別する。
【００１１】
また、前記ライセンス情報に含まれる前記コンテンツ情報の利用条件は、私的
複製コンテンツ情報の方が公的複製コンテンツ情報よりも制限されている。
【００１２】
また、前記コンテンツ情報に付加されたライセンス情報は、該コンテンツ情報
の記録されている記録媒体の識別子に依存する情報に基づき作成された鍵情報で
暗号化および復号化される。
【００１３】
また、前記判別手段は、前記ライセンス情報の内容に基づき前記コンテンツ情
報がオリジナルコンテンツ情報であるかを判別するものであり、オリジナルコン
テンツ情報と判別されたときは、該コンテンツ情報を無制限に再生する第２の再
生手段をさらに具備する。
【００１４】
本発明の情報再生装置によれば、私的複製コンテンツと公的複製コンテンツや
オリジナルコンテンツとの再生方法に構造上の差異を設け、私的複製を認めなが
ら私的利用の拡大を防ぎ、著作権及びコンテンツ供給業者を保護している。
【００１５】
また、コンテンツを別の記録媒体に不正に移す、即ちコピーした場合、ライセ
ンス情報は、記録媒体に依存したものであるため、例えば、ライセンス情報が復
号できなくなり、この結果としてコンテンツの復号ができくなるため、私的複製
あっても公的複製であっても、コピーのためにはライセンス情報を作り直さなけ
ればならなく、それができるのは（例えば関数ｆを知る）正当な記録装置だけで
あるためコピーの回数の制限などが確実に行なえることから不正利用を防止する
ことができる。
【００１６】
（２）また、本発明の一実施形態に係る情報記録装置は、コンテンツ情報と該コンテンツ情報を再生する際に必要なライセンス情報とを記録媒体に記録する情報記録装置において、コンテンツ情報とライセンス情報とを入力する入力手段と、前記ライセンス情報で示される前記コンテンツ情報の種別が、販売権を持つ者により複製された公的複製コンテンツ情報である場合に、前記ライセンス情報で示されるコンテンツ情報の種別を、販売権を持たない者により複製された私的複製コンテンツ情報へ修正する修正手段と、この修正手段で修正されたライセンス情報とともに前記入力されたコンテンツ情報を前記記録媒体に記録する記録手段と、を具備したことを特徴とする。
【００１７】
本発明の情報記録装置は、コンテンツ情報（暗号化されている場合と暗号化さ
れていない場合とがある）と該コンテンツ情報に付加された該コンテンツ情報を
再生する際に必要なライセンス情報（暗号化されたコンテンツ情報の復号鍵を含
む場合もある）とを記録媒体に記録する情報記録装置において、入力されたコン
テンツ情報の種別を判別する判別手段と、この判別手段で判別された種別および
前記記録媒体の識別子に依存する情報および前記コンテンツ情報の利用条件に基
づき前記ライセンス情報を作成する作成手段と、この作成手段で作成されたライ
センス情報とともに前記コンテンツ情報を前記記録媒体に記録する記録手段とを
具備している。
【００１８】
また、上記情報記録装置において、記録するコンテンツ情報は、アナログ信号
に制限されてもよい。
【００１９】
本発明の情報記録装置によれば、コンテンツの種類を判別して、ソースのコン
テンツよりも厳しい制限でしか複製できないような環境を提供することにより、
正式な販路に載った公的複製コンテンツと私的複製コンテンツを差別化し、公的
複製コンテンツの価値を相対的に上げることにより、公的複製コンテンツの販路
の拡大に寄与する。
【００２０】
また、コンテンツを別メディアに不正に移す、即ちコピーした場合、ライセン
ス情報は、メディアに依存したものであるため、例えば、ライセンス情報が復号
できなくなり、この結果としてコンテンツの復号ができくなるため、私的複製あ
っても公的複製であっても、コピーのためにはライセンス情報を作り直さなけれ
ばならなく、それができるのは（例えば関数ｆを知る）正当な記録装置だけであ
るためコピーの回数の制限などが確実に行なえることから不正利用を防止するこ
とができる。
【００２１】
また、記録されるソースコンテンツをアナログのみに限定することで、デジタ
ルコンテンツを記録する際、複製を重ねる毎にコンテンツの質的劣化を引き起こ
すことができ、複製の抑止力となると同時に公的複製コンテンツの価値を相対的
に上げ、公的複製コンテンツの販売市場を確保することがより確実にできる。
【００２２】
（３）本発明の情報記録装置は、コンテンツ情報と該コンテンツ情報に付加さ
れた該コンテンツ情報を再生する際に必要なライセンス情報とを記録媒体に記録
する情報記録装置において、前記記録媒体の識別子に依存する情報および前記コ
ンテンツ情報の利用条件に基づき公的複製であることを検証するための検証情報
を含む前記ライセンス情報を作成する作成手段と、この作成手段で作成されたラ
イセンス情報とともに前記コンテンツ情報を前記記録媒体に記録する記録手段と
を具備している。
【００２３】
この情報記録装置は、特に、公的複製コンテンツを販売購入するためのコンテ
ンツ販売装置、コンテンツ購入装置に用いることができる。
【００２４】
また、ライセンス情報は、記録媒体に依存したライセンス情報を作成するため
、私的複製であっても公的複製であっても、コピーのためにはライセンス情報を
作り直さなければならなく、それができるのは（例えば関数ｆを知る）正当な記
録装置だけであるためコピーの回数の制限などが確実に行なえることから不正利
用を防止することができる。
【発明の効果】
【００２５】
以上説明したように、本発明によれば、正当な経路で複製されたコンテンツ（
公的複製コンテンツ）が、正当な権限なく複製されたコンテンツよりも有利な形
態で流通可能となる。その結果、公的複製コンテンツの需要を増やし、コンテン
ツ供給者、コンテンツ利用者、電子機器供給者に利害にかなった情報流通機構を
提供できる。
【発明を実施するための最良の形態】
【００２６】
以下、本発明の実施形態について、図面を参照して説明する。
【００２７】
まず、以下の説明で用いる用語について説明する。
【００２８】
ライセンス情報は、コンテンツ自体に埋め込まれるものと、暗号化コンテンツ
に付加情報として関連付けられる外部情報とがある。ここで前者は電子透かしの
手法でアナログレイヤで実現され、ここではアナログライセンス情報と呼ぶこと
にする。後者は、デジタルレイヤで実現されるので、デジタルライセンス情報と
呼ぶ。さらに、両者を併せてライセンス情報という。
【００２９】
本発明のコンテンツ記録再生装置に入力されるコンテンツは３種類あり、オリ
ジナルコンテンツ、公的複製コンテンツ、私的複製コンテンツである。
【００３０】
オリジナルコンテンツは自作のコンテンツか、コピーフリーで特定の利用制限
がないコンテンツである。このためオリジナルコンテンツは暗号化されていない
し、後述するライセンスヘッダのみのデジタルライセンス情報が付加されている
ものとする。
【００３１】
公的複製コンテンツとは当該コンテンツの販売権を持つ者によって複製された
コンテンツをいう。公的複製コンテンツはコンテンツが暗号化されていると同時
に販売権を証明するデジタル署名が付加されたデジタルライセンス情報が付けら
れている。
【００３２】
私的複製コンテンツとは当該コンテンツの販売権を持たない者によって複製さ
れたコンテンツをいう。私的複製コンテンツはコンテンツが暗号化されていると
同時にデジタル署名が付加されていないデジタルライセンス情報が付けられてい
る。
【００３３】
次に、デジタルライセンス情報の具体的な構造について説明する。デジタルラ
イセンス情報Ｌｏは、図１に示すようにライセンスヘッダ（ＬＨ）、コンテンツ
鍵（Ｋｃ）、コンテンツ利用条件（Ｕ）、認証子（ＭＡＣ）、デジタル署名から
なっている。
【００３４】
ライセンスヘッダは、図３に示すようにライセンス情報の長さ、コンテンツの
識別子（ＩＤ）、複製情報、コンテンツ鍵の長さからなっている固定長のデータ
である。ライセンス情報の長さはライセンス情報の全体長を示しており、ライセ
ンス抽出時に利用する。複製情報は、当該コンテンツがオリジナルコンテンツか
、公的複製コンテンツか、私的複製コンテンツかを区別するための情報である。
【００３５】
コンテンツ鍵の長さはライセンス情報に含まれるコンテンツ鍵の長さを示す。
【００３６】
デジタルライセンス情報中のコンテンツ利用条件Ｕは、当該デジタルライセン
ス情報に対応しているコンテンツの利用条件を示しており、図４に示すような構
成をしている。図４において、デジタル出力フラグＦｅは「１」のとき、当該コ
ンテンツのデジタル出力を許可し、「０」のときは許可しない。有効期限情報は
当該コンテンツの有効期限を示している。同様に有効回数は当該コンテンツが利
用できる回数を指定している。これらは全てシステムによって定められた固定長
のデータである。
【００３７】
なお、ここで示したデジタルライセンス情報はほんの一例であって、応用形態
によって様々に変更される。
【００３８】
認証子はデジタルライセンス情報に含まれるコンテンツ鍵やコンテンツ利用条
件が正しいものであるかチェックするためのデータであって、誤り検出と改竄防
止の効果を持っている。
【００３９】
デジタル署名は、図６に示すように、デジタル署名ヘッダとデジタル署名とか
らなる。なお、デジタル署名ヘッダは、図７に示すように、デジタル署名の全体
長（ビット長）と、当該デジタル署名の種類と署名検証鍵番号とからなっている
。
【００４０】
デジタルライセンス情報Ｌｏにはコンテンツ鍵Ｋｃが含まれているので暗号化
されなくてはならない。しかし一方で、デジタルライセンス情報を全て暗号化し
てしまうと、複製情報を取得するだけの目的でも復号しなくてはならなくなった
り、オリジナルコンテンツのように本来暗号化の必要のないものまで暗号化する
必要が生じる。これを避けるため本実施形態では、図２に示すように、暗号化の
範囲をコンテンツ鍵、コンテンツ利用条件、認証子の部分に限る構成を示してい
る。図２にも示されているように、
以下では、情報Ｉを鍵Ｋで暗号化したデータをＩ［Ｋ］もしくは［Ｋ］Ｉと表
すことにする。また、デジタルライセンス情報およびコンテンツの暗号化には共
通鍵暗号を使うことを前提としている。共通鍵暗号は暗号鍵と復号鍵とが一致し
ている暗号方式である。以下の実施形態においては文脈上、復号鍵で暗号化した
り、暗号鍵で復号したりする記述があるが、これは前記の理由により矛盾するも
のではない。
【００４１】
暗号化デジタルライセンス情報は図２のような構造をしており、ライセンスヘ
ッダとデジタル署名を除く部分を後に詳しく述べるライセンス鍵で暗号化する。
【００４２】
次に、アナログライセンス情報に関して説明する。アナログライセンス情報は
、電子透かしとしてコンテンツ自体に埋め込まれるものであって、再生されたア
ナログコンテンツに埋め込まれているので、暗号によるコンテンツの著作権保護
が破れても尚有効である。だが一方で、コンテンツ自体に情報を埋め込むので、
埋め込みに時間がかかるという欠点がある。
【００４３】
そこで、本実施形態では、アナログライセンス情報として図５に示すような構
造を考える。即ち、アナログライセンス情報ｌは、コピー回数制限情報と複製情
報からなり、コピー回数制限情報は当該コンテンツのコピー回数の（無制限を含
む）上限値を表わし、複製情報は図３のライセンスヘッダＬＨに含まれる複製情
報と同じ情報が入る。
【００４４】
（第１の実施形態）
第１の実施形態では、入力されたコンテンツがオリジナルコンテンツ、私的複
製コンテンツ、公的複製コンテンツであるかをライセンス情報を基に判別し、そ
れに伴ってコンテンツの再生方式を変えるコンテンツ再生装置について説明する
。
【００４５】
本実施形態に係るコンテンツ再生装置の全体構成図を図８に、処理の流れを図
１２のフローチャートに示している。以下、図１２のフローチャートを参照しな
がら図８のコンテンツ再生装置について説明する。
【００４６】
まず、再生ＩＦ部３からの再生指示により、コンテンツ入力部２にコンテンツ
Ｃと暗号化デジタルライセンス情報Ｌを入力する（ステップＳ１）。これらの情
報は全体制御部１に送られ、ここで暗号化デジタルライセンス情報のライセンス
ヘッダを参照して、当該コンテンツがオリジナルコンテンツか、私的複製コンテ
ンツか、公的複製コンテンツかを識別し（ステップＳ２〜ステップＳ４）、その
識別結果に応じて、それぞれ、オリジナルコンテンツの再生処理、私的複製コン
テンツの再生処理、公的複製コンテンツの再生処理を行なう（ステップＳ６〜ス
テップＳ８）。
【００４７】
これら３種類のコンテンツに該当しないものは、本発明のコンテンツ再生装置
において解釈ができないコンテンツであるので、エラー出力を行ない、処理を終
了する（ステップＳ５）。
【００４８】
３つの種類に応じたコンテンツ毎の再生処理は図８のそれぞれの再生部におい
て行なわれる。これらの具体的な構成と処理の流れに関しては後述するが、私的
複製コンテンツ再生部４からデジタル出力部７へコンテンツが流れないような構
成を取る点は重要である。即ち、私的複製コンテンツは私的利用の目的のみに再
生が許可されたものであり、コンテンツの一部を切り貼りするなどの２次利用に
関しては私的利用の範囲を逸脱する可能性が高く、コンテンツ供給業者としては
許可し難い。本発明では、この点に鑑み、私的複製コンテンツと公的複製コンテ
ンツやオリジナルコンテンツとの再生方法に構造上の差異を設け、私的複製を認
めながら私的利用の拡大を防ぎ、著作権及びコンテンツ供給業者を保護している
。
【００４９】
図８のオリジナルコンテンツ再生部６の構成図を図９に、その処理の流れを図
１３に示す。オリジナルコンテンツは前述したように、暗号化されていないコン
テンツを言う。ライセンス情報に関しては、本実施形態においては、デジタルラ
イセンス情報はライセンスヘッダのみ、アナログライセンス情報に関してはコピ
ー回数を無制限で設定されているものとする。
【００５０】
以下、図１３のフローチャートを参照しながら図９のオリジナルコンテンツの
再生部６について説明する。
【００５１】
オリジナルコンテンツは、コンテンツ入力部６ｃに入力し（ステップＳ２１）
、データ解凍部６ｆでＭＰＥＧなどの圧縮形式が解凍されて（ステップＳ２２）
、その結果出力されるデジタルコンテンツＣに関してＤ／Ａ変換部６ｇにてデジ
タル信号からアナログ信号に変換（Ｄ／Ａ変換）する（ステップＳ２３）。そし
て、アナログライセンス情報検出部６ｄにて、コンテンツに埋め込まれたアナロ
グライセンス情報を検出したら（ステップＳ２４）、制御部６ａは、その中の複
製情報を参照することにより、当該コンテンツがオリジナルコンテンツであるか
どうかを判別する（ステップＳ２５）。もし、オリジナルコンテンツでなければ
その時点でエラーを出力して終了する（ステップＳ２９）。オリジナルコンテン
ツであれば、デジタル出力の指示が来ている場合は（ステップＳ２６）、デジタ
ル出力部６ｅを介してデジタル出力を（ステップＳ３０）、そうでない場合は、
デジタルコンテンツＣをＤ／Ａ変換部６ｇでデジタル信号からアナログ信号に変
換し、アナログ出力部６ｈを介して出力する（ステップＳ２７〜ステップＳ２８
）。
【００５２】
図８の私的複製コンテンツ再生部４の構成図を図１０に、その処理の流れを図
１４に示す。私的複製コンテンツは前述したように、暗号化されており、デジタ
ルライセンス情報に（公的複製であることを証明する）デジタル署名がないコン
テンツを言う。
【００５３】
以下、図１４のフローチャートを参照しながら図１０の私的複製コンテンツ再
生部４について説明する。
【００５４】
私的複製コンテンツは、暗号化デジタルライセンス情報Ｌとともに、暗号コン
テンツ入力部４ｂに入力する（ステップＳ３１）。これらの情報は暗号化コンテ
ンツ復号部４ｃに送られ、ここで後に詳しく述べる処理によって暗号化デジタル
ライセンス情報を復号し（ステップＳ３２）、デジタルライセンス情報に含まれ
るコンテンツ鍵Ｋｃを用いて暗号化コンテンツを復号する。また、デジタルライ
センス情報から利用条件Ｕを抽出する（ステップＳ３３〜ステップＳ３５）。
【００５５】
制御部４ａは、利用条件Ｕをチェックし（ステップＳ３６）、利用不可能と判
定された場合はエラーを出力して終了する（ステップＳ４２）。利用可能であっ
た場合、更に、利用条件に記載されている条件が私的複製コンテンツに許可され
ている範囲（上限値）を逸脱しているか否かをチェックする。ここで逸脱してい
る場合は当該条件を上限値に設定した上でステップＳ３７へ進む。このようにす
ることによって、ライセンス情報の偽造などにシステムとして対応できる。
【００５６】
制御部４ａは、復号されたコンテンツＣをデータ解凍部４ｄへ送り、ＭＰＥＧ
などの圧縮形式を解凍し、デジタルコンテンツＣｄを出力する（ステップＳ３７
）。デジタルコンテンツＣｄに対してＤ／Ａ変換部４ｅにてデジタル信号からア
ナログ信号に変換した後（ステップＳ３８）、アナログライセンス情報検出部４
ｆはコンテンツに埋め込まれたアナログライセンス情報を検出する（ステップＳ
３９）。そして、制御部４ａは、アナログライセンス情報の中の複製情報を参照
することにより、当該コンテンツが私的複製コンテンツであるかどうかを判別す
る（ステップＳ４０）。もし、私的複製コンテンツでなければその時点でエラー
を出力して終了する（ステップＳ４３）。私的複製コンテンツであれば、Ｄ／Ａ
変換部４ｅでＤ／Ａ変換し、アナログ出力部４ｇを介してアナログ出力を行なう
（ステップＳ４１）。なお、ここでデジタル出力の指示が来ていてもデジタル出
力は行なわない。
【００５７】
図８の公的複製コンテンツ再生部５の構成図を図１１に、その処理の流れを図
１５に示す。公的複製コンテンツは前述したように、暗号化されており、デジタ
ルライセンス情報に（公的複製であることを証明する）デジタル署名が付加され
ているコンテンツを言う。
【００５８】
以下、図１５のフローチャートを参照しながら図１１の公的複製コンテンツ再
生部５について説明する。
【００５９】
公的複製コンテンツは、暗号コンテンツ入力部５ｂに暗号化デジタルライセン
ス情報とともに入力される（ステップＳ５１）。これらの情報は暗号化コンテン
ツ復号部５ｃに送られ、ここで後に詳しく述べる処理によって暗号化デジタルラ
イセンス情報にデジタル署名が付加されているかを検証し、付加されている場合
は、デジタル署名検証鍵を用いてデジタル署名を検証することによって公的複製
であることを検証する（ステップＳ５２〜ステップＳ５３）。なお、ステップＳ
５２でデジタル署名が付加していなかった場合、ステップＳ５３でデジタル署名
が検証できなかった場合はエラーを出力し処理を終了する（ステップＳ６４〜ス
テップＳ６５）。
【００６０】
ステップＳ５３でデジタル署名が検証できた場合は、後に詳しく述べる処理に
よって暗号化デジタルライセンス情報を復号し（ステップＳ５４）、デジタルラ
イセンス情報に含まれるコンテンツ鍵Ｋｃを用いて暗号化コンテンツを復号する
。また、デジタルライセンス情報から利用条件Ｕを抽出する（ステップＳ５５〜
ステップＳ５７）。
【００６１】
制御部５ａは、利用条件をチェックし（ステップＳ５８）、利用不可能と判定
された場合はエラーを出力して終了する（ステップＳ６６）。利用可能であった
場合、更に、利用条件に記載されている条件が私的複製コンテンツに許可されて
いる範囲（上限値）を逸脱しているか否かをチェックする。ここで逸脱している
場合は当該条件を上限値に設定した上でステップＳ５９へ進む。このようにする
ことによって、ライセンス情報の偽造などにシステムとして対応できる。
【００６２】
制御部５ａは、復号されたコンテンツＣをデータ解凍部５ｄへ送り、ＭＰＥＧ
などの圧縮形式を解凍し、デジタルコンテンツＣｄを出力する（ステップＳ５９
）。デジタルコンテンツＣｄに対してＤ／Ａ変換部５ｅでＤ／Ａ変換を行った後
（ステップＳ６０）、アナログライセンス情報検出部５ｆは、コンテンツに埋め
込まれたアナログライセンスを検出する。そして、制御部５ａは、アナログライ
センス情報の中の複製情報を参照することにより、当該コンテンツが公的複製コ
ンテンツであるかどうかを判別する（ステップＳ６１）。もし、公的複製コンテ
ンツでなければその時点でエラーを出力して終了する（ステップＳ６７）。公的
複製コンテンツであれば、デジタル出力の指示が来ている場合は（ステップＳ６
２）デジタル出力部５ｉを介してデジタル出力を（ステップＳ６８）、そうでな
い場合はＤ／Ａ変換部５ｅでＤ／Ａ変換し、アナログ出力部５ｇを介してアナロ
グ出力を行なう（ステップＳ６３）。
【００６３】
次に、暗号化コンテンツ復号部について説明する。この構成部は、私的複製コ
ンテンツ再生部４、公的複製コンテンツ再生部５に存在し、どちらも構成は類似
している。まず、公的複製コンテンツ再生部５の暗号化コンテンツ復号部５ｃに
ついて述べ、私的複製コンテンツ再生部４の暗号化コンテンツ復号部４ｃに関し
ては暗号化コンテンツ復号部５ｃとの差異のみを述べることにする。
【００６４】
暗号化コンテンツ復号部５ｃの構成例を図１６に、その処理の流れを図１８に
示す。以下、図１８のフローチャートを参照して暗号化コンテンツ復号部５ｃに
ついて説明する。
【００６５】
暗号化コンテンツＫｃ［Ｃ］と暗号化デジタルライセンス情報Ｌとが暗号化ラ
イセンス復号部５ｃに入力すると（ステップＳ７１）、暗号化ライセンス復号部
５ｃでは、メディアＩＤ抽出部（公的複製コンテンツ再生部５の場合は、メディ
アＩＤ抽出部５ｈ、私的複製コンテンツ再生部４の場合は、メディアＩＤ抽出部
４ｈ）を通じて当該コンテンツの記録されていたメディアＭの識別子であるメデ
ィアＩＤを取得する（ステップＳ７２）。そのメディアＩＤを用いて、後に詳し
く述べる手段により、ライセンス復号鍵ｗを作成し、復号されたデジタルライセ
ンス情報を出力する（ステップＳ７３）。
【００６６】
図１に示すデジタルライセンス情報のうち、コンテンツ鍵Ｋｃとコンテンツ利
用条件Ｕから認証子を計算する（ステップＳ７５）。認証子は、例えばコンテン
ツ鍵とコンテンツ利用条件を連結した情報を一方向性関数の入力として出力され
た値とする。
【００６７】
ここでの認証子の役割は、ライセンス鍵ｗが間違っているために間違ったコン
テンツ復号鍵や利用条件が出力されることがないようにする誤り検出の役割であ
る。ＭＡＣの生成は一方向性関数によって実現される。一方向性関数はハッシュ
関数や暗号関数によっても実現され、出力値から入力値が推定できないような関
数をいう。
【００６８】
ＭＡＣ照合部１０２は、暗号化ライセンス復号部１０１からの出力から計算さ
れた認証子と、同じく暗号化ライセンス復号部１０１から出力された図１のデジ
タルライセンス情報にもともと含まれている認証子ＭＡＣとを照合して（ステッ
プＳ７６）、一致すれば出力されたコンテンツ復号鍵Ｋｃは信頼できるので（ス
テップＳ７７）、このＫｃを用いて、コンテンツ復号部１０３にて、暗号化コン
テンツを復号する（ステップＳ７８）。認証子が一致しなかった場合は、エラー
出力し処理を終える（ステップＳ８１）。
【００６９】
認証子を照合し、暗号化コンテンツが復号できた場合、コンテンツＣと利用条
件Ｕを出力し、暗号化コンテンツ復号部の処理を終了する（ステップＳ７９）。
【００７０】
次に、暗号化コンテンツ復号部の構成要素である暗号化ライセンス復号部１０
１について詳しく説明する。構成を図１７に、その処理の流れを図１９に示す。
【００７１】
以下、図１９に示すフローチャートを参照して、暗号化ライセンス復号部１０
１について説明する。
【００７２】
暗号化デジタルライセンス情報Ｌが入力すると（ステップＳ９１）、まずデジ
タル署名検出部１０１ａにおいてデジタル署名の検出が行なわれる（ステップＳ
９２）。すなわち、デジタル署名の検出はライセンスヘッダ中のデータを用い、
例えば、次式を用いてデジタル署名の先頭アドレスを算出する。
【００７３】
デジタル署名の先頭アドレス＝暗号化デジタルライセンス情報の先頭アドレス
＋（ライセンスヘッダ長＋コンテンツ鍵の長さ＋コンテンツ利用条件の長さ＋認
証子の長さ）
デジタル署名検証鍵取得部１０１ｂは、このデジタル署名の先頭アドレスから
固定長のデジタル署名ヘッダを取得し（図６、図７参照）、そこに記載されてい
るデジタル署名の全体長、署名の種類、署名検証鍵の番号から署名アルゴリズム
及びその検証鍵を特定することができる。署名の種類、署名検証鍵の番号が取得
できたら、それをもとに、デジタル署名検証鍵保持部１０１ｆを検索し、当該署
名の種類、署名検証鍵の番号に対応する署名アルゴリズム、検証鍵を取得する（
ステップＳ９４）。
【００７４】
デジタル署名（ヘッダ）が検出できなかった場合は、エラー出力して処理を終
了する（ステップＳ９３、ステップＳ１０１）。
【００７５】
デジタル署名が検出できたら、次に、デジタル署名検証部１０１ｃは、検出さ
れたデジタル署名を、デジタル署名ヘッダにて指定された署名アルゴリズムと署
名検証鍵番号の署名検証鍵を使って検証する（ステップＳ９５）。
【００７６】
ここでのデジタル署名は公開鍵暗号によるそれを考えている。即ち、署名作成
鍵（秘密鍵）を持っている認可されたサーバもしくは販売店のみが、公的複製コ
ンテンツに対応するライセンスファイルが作成できる。それ以外の者は例え再生
装置を所有していても、その中にあるのは署名検証鍵（公開鍵）だけであり、公
開鍵から秘密鍵を求めることが難しいのが公開鍵暗号の安全性であるので、充分
安全な公開鍵暗号を使えば、秘密鍵を知らない第三者はライセンスに対応したデ
ジタル署名は作成できないことになる。このことから公的複製コンテンツに対応
したライセンスが作れるのは認可された販売者であることが導かれる。しかし一
方で、公開鍵暗号も攻撃法（解読法）の発展によりいつまでも安全であるとは限
らない。この点に鑑みて、デジタル署名のヘッダの中で署名アルゴリズム、署名
検証鍵を指定して随時サーバ側で変更できるような構成となっている。
【００７７】
デジタル署名検証部１０１ｃで署名検証結果がＮＧと判断された場合はエラー
出力する（ステップＳ９６、ステップＳ１０２）。そうでない場合は、ライセン
ス鍵生成部１０１ｄは、暗号化コンテンツが記録されているメディアのメディア
ＩＤ（ＭＩＤ）を取得し（ステップＳ９７）、これを再生装置の中に秘密に保持
された関数を用いて、
ｗ＝ｆ（ＭＩＤ）
からメディアに依存したライセンス鍵ｗを得る（ステップＳ９８）。
【００７８】
これはコンテンツを別メディアに移す、即ちコピーした場合、メディアに依存
したライセンス鍵ｗしか得られないため、暗号化デジタルライセンス情報が復号
できなくなり、この結果としてコンテンツの復号ができないようにするための仕
組みである。
【００７９】
このように私的複製あっても公的複製であっても、コピーのためには暗号化デ
ジタルライセンス情報を作り直さなければならなく、それができるのは関数ｆを
知る正当な記録装置だけであるためコピーの回数の制限などが確実に行なえるこ
とから不正利用を防止することができる。この意味から、関数ｆを実現するハー
ドウエアもしくはファームウエアは耐タンパなＬＳＩの中に存在することが望ま
しい。
【００８０】
ライセンス復号部１０１ｅは、このようにして作成されたライセンス鍵ｗを用
いて暗号化デジタルライセンス情報を復号し（ステップＳ９９）、デジタルライ
センス情報Ｌｏを得、それを出力する（ステップＳ１００）。
【００８１】
以上が、公的複製コンテンツ再生部５の暗号化コンテンツ復号部５ｃおよびそ
の構成要素である暗号化ライセンス復号部１０１の説明である。尚、私的複製コ
ンテンツ再生部４の暗号化コンテンツ復号部４ｃの暗号化ライセンス復号部１０
１は、図１７のデジタル署名検出部１０１ｃ、デジタル署名検証鍵取得部１０１
ｂ、デジタル署名検証鍵保持部１０１ｆ、デジタル署名検証部１０１ｃは構成と
して必ずしも必要ではなく、それらの処理は不要である。
【００８２】
次に、以上説明したコンテンツ再生装置についてのいくつかのバリエーション
を述べる。
【００８３】
まず、図８の全体構成において、コンテンツの種類によって再生部を完全に分
離した形を示しているが、これは必ずしも必要ではない。実質上はライセンスフ
ァイルの種類によって別れ、更に前述したように処理も似ている部分も多い。こ
のことから、同一の処理をする部分を一つの回路にすることにより、回路規模を
小さくすることができる。また、逆に同じ機能を持った回路であっても仕様を再
生部毎に変更しておくことで、安全性を向上させることができる。例えば、各再
生部のデータ解凍部（４ｄ、５ｄ、６ｆ）では、コンテンツの種類毎に別々のア
ルゴリズムを使うことで、ライセンス情報によってコンテンツの種類を偽ること
がより難しくなる。
【００８４】
また、オリジナルコンテンツ再生部を持たない再生装置の構成も考えられる。
【００８５】
この場合、再生装置の側でオリジナルコンテンツの再生はできなくなり、コンテ
ンツは公的複製コンテンツと私的複製コンテンツの２つに限られることになる。
【００８６】
このようにすることによって、自作のコンテンツでも私的複製コンテンツとして
見なされるという問題点があるが。その反面、ラジオやテレビからのコンテンツ
のダビングなど自作コンテンツでないものをオリジナルコンテンツとして記録し
無条件に再生されてしまうという問題は避けられる。
【００８７】
更にデジタル署名に関しては、図１の形態で付加する以外にも、図２０に示す
ように、ライセンス鍵ｗでの暗号化の上からさらに署名生成鍵Ｋｓで再暗号化を
行っても良い。このようにしても、異なった署名生成鍵で暗号化しても、正しい
署名検証鍵で復号しても正しく復号できないように構成することができる。正し
く復号できたかどうかの判定は認証子ＭＡＣによって確実に判定できる。このよ
うにすることによってデジタル署名分のデータサイズが削減できる。
【００８８】
（第２の実施形態）
ここでは、自作のコンテンツからオリジナルコンテンツもしくは私的複製コン
テンツ、公的複製コンテンツからは私的複製コンテンツを製作することができる
コンテンツ記録装置について説明する。
【００８９】
本実施形態は、前述した第１の実施形態の再生装置に対応した記録装置であり
、当該再生装置と一体化し、コンテンツ記録再生装置を構成することができる。
【００９０】
本実施形態に係るコンテンツ記録装置の全体構成を図２１に、その処理の流れ
を図２４のフローチャートに示している。以下、図２４のフローチャートを参照
しながら図２１のコンテンツ再生装置について説明する。
【００９１】
コンテンツ入力部２０２には、コンテンツとして暗号化されたコンテンツ（Ｋ
ｃ［Ｃ］）もしくは暗号化されていないコンテンツＣが暗号化ライセンス情報Ｌ
とともに入力される（ステップＳ２０１）。
【００９２】
全体制御部２０１は、暗号化デジタルライセンス情報のライセンスヘッダを参
照して、当該コンテンツが公的複製コンテンツであれば（ステップＳ２０２）、
私的複製コンテンツ作成部２０４にこれらのデータを送り、私的複製コンテンツ
作成処理に進む（ステップＳ２０３）。
【００９３】
当該コンテンツが私的複製コンテンツであれば（ステップＳ２０４）、私的複
製コンテンツ作成部２０４にこれらのデータを送り、私的複製コンテンツ作成処
理に進む（ステップＳ２０５）。
【００９４】
当該コンテンツがオリジナルコンテンツであれば（ステップＳ２０６）、オリ
ジナルコンテンツ作成部２０５にこれらのデータを送り、オリジナルコンテンツ
作成処理を開始する（ステップＳ２０７）。
【００９５】
このようにコンテンツの種類により記録手段を変更し、記録装置では高々私的
複製しかできないような環境を提供することにより、正式な販路に載った公的複
製コンテンツと私的複製コンテンツを差別化し、公的複製コンテンツの価値を相
対的に上げることにより、公的複製コンテンツの販路の拡大に寄与する。
【００９６】
次に、図２１のコンテンツ記録装置の私的複製コンテンツ作成部２０４に関し
て詳しく説明する。図２２に私的複製コンテンツ作成部２０４の構成例を、その
処理の流れを図２５〜図２６に示す。
【００９７】
以下、図２５〜図２６に示すフローチャートを参照して、私的複製コンテンツ
作成部２０４について説明する。
【００９８】
私的複製コンテンツを複製する際、まず、コンテンツ入力部２０４ｂから暗号
化コンテンツＫｃ［Ｃ］と、その暗号化デジタルライセンス情報Ｌと、複製形態
情報Ｑが入力され、処理が開始される（ステップＳ２１１）。
【００９９】
複製形態情報Ｑとは図３０に示す構造をしている。すなわち、複製形態情報Ｑ
は複製後のコンテンツ種別（複製コンテンツ種別）と、複製コンテンツの利用条
件（利用条件情報）とが記載されている。
【０１００】
ここで、利用条件情報は、図３１に示す構成をしており、デジタル出力フラグ
、有効期限情報、有効利用回数情報、コピー回数制限情報からなり、それぞれデ
ジタルライセンス情報、アナログライセンス情報に記載されている情報に埋め込
むための情報である。
【０１０１】
なお、以下の処理でも明らかになるように、複製後のコンテンツ種別により、
必ずしもこれらの情報がそのまま反映される訳ではない。後にも説明するように
これは複製後のコンテンツ種別により、各上限値が規定されており、この上限値
を越えて設定することを許さないためである。このことにより私的複製コンテン
ツ、公的複製コンテンツ、オリジナルコンテンツに利用上の区別を付け、コンテ
ンツ供給業者の利益にかなったシステムを実現する。
【０１０２】
さて、入力された暗号化コンテンツＫｃ［Ｃ］と、その暗号化デジタルライセ
ンス情報Ｌと、複製形態情報Ｑとは、制御部２０４ａに送られ、暗号化コンテン
ツＫｃ［Ｌ］と暗号化デジタルライセンス情報Ｌはコンテンツ復号部２０４ｅに
送られる。
【０１０３】
コンテンツ復号部２０４ｅでは、第１の実施形態のコンテンツ再生装置のコン
テンツ再生と同様にして、暗号化コンテンツを復号する。すなわち、ソース側の
メディアＭからメディアＩＤ取得部２０６を経由してメディアＩＤ（ＭＩＤ）を
取得し（ステップＳ２１２）、当該メディアＩＤと秘匿された関数ｆとを用いて
、
ｗ＝ｆ（ＭＩＤ）
という関係式からライセンス鍵ｗを作り（ステップＳ２１３）、暗号化デジタ
ルライセンス情報Ｌを復号する（ステップＳ２１４）。復号されたデジタルライ
センス情報からコンテンツ復号鍵Ｋｃを抽出する（ステップＳ２１５）。さらに
、デジタルライセンス情報から認証子を抽出し、これを検査することによってコ
ンテンツ復号鍵Ｋｃに誤りがないことを確認する（ステップＳ２１６）。そして
、コンテンツ復号鍵Ｋｃを用いて暗号化コンテンツを復号し、コンテンツＣを得
る（ステップＳ２１８）。
【０１０４】
コンテンツ復号部２０４ｅで復号されたコンテンツＣは、制御部２０４ａを経
由してアナログライセンス検出・修正部２０４ｆに送られる。ここでは、まず、
データ解凍部２０４ｇにコンテンツＣを送り、コンテンツＣの圧縮を解凍し（ス
テップＳ２１９）、解凍されたデジタルコンテンツＣに対して、Ｄ／Ａ変換を行
ない（ステップＳ２２０）、アナログコンテンツＣａを得る。このアナログコン
テンツＣａからアナログライセンス情報を抽出し（ステップＳ２２１）、アナロ
グライセンス情報の複製情報により、当該コンテンツの種類を特定する。
【０１０５】
当該ソースのコンテンツが公的複製コンテンツであった場合（ステップＳ２２
２）、図５に示すようなアナログライセンス情報の複製情報を私的複製コンテン
ツと修正し（ステップＳ２２６）、同じくアナログライセンス情報のコピー回数
制限情報を私的複製コンテンツに許された上限値に設定する（ステップＳ２２７
）。
【０１０６】
一方、当該ソースのコンテンツが私的複製コンテンツの場合は（ステップＳ２
２３）、図５に示すようなアナログライセンス情報のコピー回数制限情報を「１
」減算する（ステップＳ２２４）。
【０１０７】
また、当該ソースのコンテンツが公的複製コンテンツでも私的複製コンテンツ
でもない場合、エラー出力をする（ステップＳ２２８）。
【０１０８】
以上の処理で作成されたアナログライセンス情報を現在記録されているアナロ
グライセンス情報を消去して、アナログコンテンツに埋め込む（ステップＳ２２
５）。さらに、Ａ／Ｄ変換してデジタルコンテンツＣｄに変換した後（ステップ
Ｓ２２９）、データ圧縮部２０４ｈに送り圧縮処理を行なって（ステップＳ２３
０）、新しいコンテンツＣを得る。
【０１０９】
新しいコンテンツＣは、アナログライセンス情報検出・修正部２０４ｆから制
御部２０４ａを経由して、コンテンツ暗号化部２０４ｄへコンテンツ暗号鍵Ｋｃ
とともに送られる。
【０１１０】
コンテンツ暗号化部２０４ｄでは、入力されたコンテンツＣを同じく入力され
たコンテンツ復号鍵Ｋｃで暗号化し、暗号化コンテンツＫｃ［Ｃ］を得る（ステ
ップＳ２３１）。
【０１１１】
一方、制御部２０４ａでは、複製形態情報Ｑの利用条件情報に記載されている
デジタル出力フラグ、有効期限情報、有効利用回数制限を参照し、これらの条件
が私的複製コンテンツの範囲を逸脱していないことを確認する。逸脱していた場
合は私的複製コンテンツにおいて認められている範囲でデジタルライセンス情報
に含まれるコンテンツ利用条件Ｕを作成する（ステップＳ２３２）。
【０１１２】
次に、コンテンツ復号鍵Ｋｃとコンテンツ利用条件Ｕとから認証子（ＭＡＣ）
を計算する（ステップＳ２３３）。計算の方式は前述した第１の実施形態のコン
テンツ再生装置で認証子確認のために行なった計算と同じである。
【０１１３】
さらに、ライセンスヘッダの複製情報の部分に私的複製コンテンツである旨の
情報その他を算出して格納し、当該コンテンツのデジタルライセンス情報が完成
する。
【０１１４】
次に、デジタルライセンス情報の暗号化のためターゲット側（記録側）メディ
アＭ’からメディアＩＤ取得部２０６を通じてメディアＩＤ（ＭＩＤ）を取得す
る（ステップＳ２３５）。取得されたメディアＩＤ（ＭＩＤ）から
ｗ＝ｆ（ＭＩＤ）
によってライセンス鍵ｗを生成する（ステップＳ２３６）。この生成方式は前
述したコンテンツ復号部２０４ｅの処理の部分で述べた暗号化デジタルライセン
ス情報Ｌの際に作成したライセンス鍵の作成方式と同じである。だが前者の場合
とはＭＩＤが異なるので異なるライセンス鍵が生成される。
【０１１５】
このように複製の前後で暗号化デジタルライセンス情報のデータを変更するこ
とで、不正な複製を防ぐことができるのである。
【０１１６】
ステップＳ２３６で得られたライセンス鍵ｗを使ってデジタルライセンス情報
Ｌｏを暗号化して暗号化デジタルライセンス情報Ｌを得る（ステップＳ２３７）
。
【０１１７】
以上によって記録すべきデータは全て完成し、暗号化コンテンツＫｃ［Ｃ］と
暗号化デジタルライセンス情報Ｌとをそれぞれコンテンツ記録部２０８、ライセ
ンス記録部２０７を通じてターゲット側メディアＭ’に記録する（ステップＳ２
３８〜ステップＳ２３９）。
【０１１８】
次に、図２１のコンテンツ記録装置の中のオリジナルコンテンツ作成部２０５
に関して詳しく説明する。オリジナルコンテンツ作成部２０５の構成を図２３に
、その処理の流れを図２７〜図２９に示す。
【０１１９】
以下、図２７〜図２９に示すフローチャートを参照して、図２３のオリジナル
コンテンツ作成部２０５について説明する。
【０１２０】
オリジナルコンテンツを複製する際、まず、コンテンツ入力部２０５ｂからコ
ンテンツＣと複製形態情報Ｑが入力され、処理が開始される（ステップＳ２４１
）。
【０１２１】
コンテンツＣが制御部２０５ａを経由して、アナログライセンス情報検出修正
部２０５ｄに送られ、ここからデータ解凍部２０５ｇの処理によりコンテンツの
解凍が行なわれる（ステップＳ２４２）。
【０１２２】
解凍されたデジタルコンテンツＣｄにＤ／Ａ変換を施し、アナログライセンス
情報を検出する（ステップＳ２４３〜Ｓ２４４）。ここでオリジナルコンテンツ
であれば検出されないはずであるが、データの一部を改竄することにより、当該
コンテンツをオリジナルコンテンツになりすまして入力していた場合などはここ
でエラー出力し、処理を終了する（ステップＳ２４５〜ステップＳ２４６）。
【０１２３】
オリジナルコンテンツであった場合、次に複製先をオリジナルコンテンツとす
るのか私的複製コンテンツとするのかを複製形態情報Ｑの複製コンテンツ種別に
よって判断する（ステップＳ２４７）。
【０１２４】
オリジナルコンテンツは、先に定義したように利用者自身に著作権のあるコン
テンツを考えているので暗号化しないオリジナルコンテンツにも私的複製コンテ
ンツにも複製できる。当然オリジナルコンテンツに複製した方がより有利な条件
で再生できるが、著作者自身が複製先で利用形態に何らかの制限を設けたい場合
は私的複製コンテンツとして記録することによって目的は実現される。
【０１２５】
私的複製コンテンツとして複製したい場合は、ステップＳ２４８へ進み、アナ
ログライセンス情報をコンテンツに記録する必要がある。このためアナログライ
センス情報を作成し、その複製情報を私的複製とし、コピー回数制限を利用形態
情報Ｑに含まれるコピー回数制限情報を私的複製コンテンツで許可されているコ
ピー回数の上限値を越えない範囲で設定し、当該アナログライセンス情報をコン
テンツＣに埋め込み、Ａ／Ｄ変換し、更に、データ圧縮部２０５ｈで圧縮処理を
施すことにより新たなコンテンツＣを得る（ステップＳ２４８〜ステップＳ２５
２）。
【０１２６】
一方、オリジナルコンテンツとして複製する場合には、ステップＳ２４７から
ステップＳ２５１へ進み、アナログライセンス情報の修正処理をすることなしに
Ａ／Ｄ変換を行ない、圧縮処理を行なってコンテンツＣを得る（ステップＳ２５
１〜ステップＳ２５２）。
【０１２７】
以上の処理で作成されたコンテンツＣはアナログライセンス情報検出修正部２
０５ｄから制御部２０５ａへ送られ、制御部２０５ａで複製形態情報Ｑを参照し
て私的複製コンテンツに複製するか、オリジナルコンテンツに複製するかによっ
て処理手順を変える（ステップＳ２５３）。
【０１２８】
まず、オリジナルコンテンツに複製する場合は、暗号化する必要がないので、
ライセンス生成部２０５ｃは、デジタルライセンス情報をライセンスヘッダのみ
作成し、ライセンスヘッダ中の複製情報を「オリジナルコンテンツ」とし（ステ
ップＳ２６４）、ライセンス記録部２０７を通じて当該デジタルライセンス情報
をターゲット側のメディアに記録する（ステップＳ２６２）。ここでオリジナル
コンテンツの場合のデジタルライセンス情報はライセンスヘッダのみ存在するた
め暗号化部分はなく、ライセンス鍵も作成しなくても良い。また、コンテンツＣ
も暗号化する必要がないのでそのままコンテンツ記録部２０８を通し、ターゲッ
ト側のメディアに記録される（ステップＳ２６３）。
【０１２９】
次に、私的複製コンテンツとして記録する場合の処理に関して述べる。私的複
製コンテンツとして記録する場合は（ステップＳ２５３）、コンテンツＣを暗号
化し、しかも当該コンテンツに対応したコンテンツ復号鍵Ｋｃが含まれる暗号化
デジタルライセンス情報Ｌを作成し、メディアに記録しなくてはならない。順次
その手順を説明する。
【０１３０】
制御部２０５ａは、コンテンツＣをコンテンツ暗号化部２０５ｅに送り、コン
テンツ暗号化部２０ｅでは、コンテンツ復号鍵生成部２０５ｆに命令を出し、コ
ンテンツ鍵Ｋｃを作成させる（ステップＳ２５４）。作成されたコンテンツ復号
鍵ＫｃでコンテンツＣを暗号化し（ステップＳ２５５）、暗号化コンテンツＫｃ
［Ｃ］を得る。この暗号化コンテンツＫｃ［Ｃ］は、コンテンツ記録部２０８に
渡され、ターゲット側のメディアに記録される（ステップＳ２６３）。
【０１３１】
一方、コンテンツ復号鍵Ｋｃは、一端、制御部２０５ａに渡された後、ライセ
ンス生成部２０５ｃに渡される。ライセンス生成部２０５ｃでは、メディアＩＤ
取得部２０６からターゲット側のメディアのメディアＩＤ（ＭＩＤ）を取得し（
ステップＳ２５６）、
ｗ＝ｆ（ＭＩＤ）
によりライセンス鍵ｗを作成する（ステップＳ２５７）。
【０１３２】
また、デジタルライセンス情報に含まれるコンテンツ利用条件Ｕを複製形態情
報Ｑの利用条件情報を参照し、私的複製コンテンツに認められた範囲で決定する
（ステップＳ２５８）。
【０１３３】
次に、コンテンツ鍵Ｋｃと利用条件Ｕとから認証子（ＭＡＣ）を生成する（ス
テップＳ２５９）。これによってデジタルライセンス情報Ｌｏを生成し（ステッ
プＳ２６０）、先に生成したライセンス鍵ｗを使ってデジタルライセンス情報を
暗号化して、暗号化デジタルライセンス情報Ｌを得る（ステップＳ２６１）。
【０１３４】
得られた暗号化デジタルライセンス情報Ｌをライセンス記録部２０７によって
ターゲット側のメディアに記録する（ステップＳ２６２）。
【０１３５】
以上で、コンテンツ記録装置の説明を終える。
【０１３６】
次に、上記第２の実施形態のいくつかの変形例（第３〜第６の実施形態）につ
いて述べる。
【０１３７】
（第３の実施形態）
オリジナルコンテンツ以外（とくに公的複製コンテンツ）を複製する際には、
私的複製コンテンツ作成部２０４では、当該コンテンツを適度に劣化させること
が望ましい。これは劣化によって複製への期待が薄れ、正式な販路にのった公的
複製コンテンツの販売が促進されるからである。この意味でアナログライセンス
情報検出修正部２０４ｆにおいてコンテンツにノイズを載せるかデータ圧縮にお
ける圧縮率を上げるかによってこれを実現する構成も考えられる。このためには
データ圧縮部２０４ｈの圧縮率を調整して劣化が起こる程度にする方法もしくは
アナログライセンス情報を埋め込む際に埋め込みを極端にしてコンテンツの劣化
がおこる程度までにする方法が考えられる。特に後者の場合、アナログライセン
ス情報が剥離させにくくなるというメリットもある。
【０１３８】
（第４の実施形態）
コンテンツの種類としてオリジナルコンテンツを認めない記録装置（もしくは
記録再生装置）も考えられる。このような装置は、例えば、図２１の構成におい
て、オリジナルコンテンツ作成部２０５を省き、上記説明のうち、オリジナルコ
ンテンツの入力およびオリジナルコンテンツでの複製に関する処理を省けばよい
。
【０１３９】
逆に、少なくともオリジナルコンテンツの入力を認める場合、オリジナルコン
テンツとして認める入力端子を限定する方法が考えられる。この方法によれば、
例えば、マイク端子から入力される音声はオリジナルコンテンツとして記録でき
るが、ラジオ端子から入力される音声は私的複製コンテンツとして記録させるよ
うな機構を取ると、入力媒体によって複製コンテンツの種類を決定することがで
き、例え本記録装置のフォーマットで入力されていなくても記録することができ
るばかりか、当該複製がオリジナルコンテンツからのものなのかそうでないのか
を区別することができる。
【０１４０】
（第５の実施形態）
第１の実施形態のコンテンツ再生装置と第２の実施形態のコンテンツ記録装置
はそれぞれ独立の機構を有しているが、一体化した形態の記録再生装置を考える
ことも可能である。この場合、同じ機能を持つ構成要素であるメディアＩＤ取得
部、データ圧縮部、データ解凍部などを共通化することも可能である。
【０１４１】
（第６の実施形態）
記録されるソースコンテンツをアナログのみに限り、私的複製コンテンツへの
複製しか許さないという形態も存在する。このようにすることによって、デジタ
ルコンテンツを記録する際、一端アナログレイヤを経由することによって、コン
テンツの質的劣化を引き起こすことができ、従来の私的複製と同程度の質の劣化
が実現され、コンテンツの質の上での私的複製が実現できる。
【０１４２】
このようなコンテンツ記録装置の構成を図３２に、その処理の流れを図３３〜
図３４に示す。
【０１４３】
以下、図３２のコンテンツ記録装置について、図３３〜図３４に示すフローチ
ャートを参照して説明する。
【０１４４】
コンテンツ入力部３０１からアナログコンテンツＣａが入力される（ステップ
Ｓ３０１）。入力されたアナログコンテンツＣａは、アナログライセンス情報検
出修正部３０２に送られ、そこでアナログライセンス情報が抽出され（ステップ
Ｓ３０２）、アナログライセンス情報に含まれるコピー回数制限が「１」以上で
あることを確認する（ステップＳ３０３）。そうでなかった場合はこれ以上複製
は生成できないのでエラー出力する（ステップＳ３０４）。
【０１４５】
以下、アナログライセンス情報が存在しないか、コピー回数制限が「１」以上
であるとする。アナログライセンス情報がない場合、コピー回数制限は私的複製
コンテンツの上限値に設定し、あった場合はコピー回数制限を「１」減じ、いず
れの場合も複製情報を私的複製コンテンツに設定したアナログライセンス情報を
作成し、アナログライセンス情報が既に存在する場合はそれを取り除いた後、新
たに作成されたアナログライセンス情報をコンテンツに埋め込む（ステップＳ３
０５〜ステップＳ３０６）。
【０１４６】
アナログライセンス情報が埋め込まれたコンテンツＣａはＡ／Ｄ変換部３０３
に送られ、デジタルコンテンツＣｄに変換する（ステップＳ３０７）。デジタル
コンテンツＣｄは、データ圧縮部３０５に送られ、圧縮されたコンテンツＣを作
成する（ステップＳ３０８）。
【０１４７】
コンテンツＣは、全体制御部３０４を経由してコンテンツ暗号化部３０７へ送
られ、コンテンツ暗号化部３０７では、コンテンツ鍵生成部３０９で生成された
コンテンツ復号鍵Ｋｃを使って、コンテンツＣを暗号化し、暗号化コンテンツＫ
ｃ［Ｃ］を作成する（ステップＳ３０９〜ステップＳ３１０）。
【０１４８】
コンテンツ暗号化部３０７は、一方でコンテンツ復号鍵Ｋｃを全体制御部３０
４に送り、全体制御部３０４が決める利用条件Ｕとともにライセンス生成部３０
６に送る。
【０１４９】
ライセンス生成部３０６では、コンテンツ復号鍵Ｋｃと利用条件Ｕから認証子
（ＭＡＣ）を生成し、デジタルライセンス情報Ｌｏを作成する。生成されたデジ
タルライセンス情報Ｌｏは、ライセンス暗号化部３０８に送られ、ライセンス暗
号化部３０８ではライセンス鍵生成部３１０で生成されたライセンス鍵ｗを使っ
てデジタルライセンス情報Ｌｏを暗号化する（ステップＳ３１１〜ステップＳ３
１４）。
【０１５０】
ここで、ライセンス鍵生成部３１０の処理の流れを説明する。ライセンス鍵生
成部３１０では、メディアＩＤ取得部３１２を経由して暗号化コンテンツを記録
するメディアのメディアＩＤ（ＭＩＤ）を取得し（ステップＳ３１２）、
ｗ＝ｆ（ＭＩＤ）
により、ライセンス鍵ｗを生成する（ステップＳ３１３）。
【０１５１】
さて、暗号化デジタルライセンスＬは、ライセンス記録部３１１を経て、メデ
ィアに記録される（ステップＳ３１５）。同様に、暗号化コンテンツＫｃ［Ｃ］
もメディアに記録される（ステップＳ３１６）。
【０１５２】
第１の実施形態でも述べたオリジナルコンテンツを許さない再生装置を本実施
形態の記録装置と一体化するか、もしくは対として使うことによって、よりセキ
ュリティの高いコンテンツ記録再生装置が作成できる。即ち、本発明の記録再生
装置以外からのコンテンツを入力して記録する際にはアナログ入力しか認められ
ず、デジタルコンテンツの記録には私的複製コンテンツに制限されるからである
。このことは即ち、デジタルでの記録再生の世界であっても一端アナログを経由
するため、従来からの記録再生システム以上の品質向上は望めないことを意味し
ており、複製の抑止力となると同時に公的複製コンテンツの価値を相対的に上げ
、公的複製コンテンツの販売市場を確保することがより確実にできる。
【０１５３】
（第７の実施形態）
本実施形態では、デジタルコンテンツを購入再生する際に利用するコンテンツ
販売装置とコンテンツ購入装置について説明する。ここでは、例えば、デジタル
コンテンツをインターネットサーバ或は自動販売機経由で購入／販売する仕組み
の一形態を示す。
【０１５４】
まず、コンテンツ販売装置の実施形態を説明する。コンテンツ販売装置とは購
入要求に応じて公的複製コンテンツを作成し、販売する販売装置を言う。本実施
形態では、ネットワーク上に実現された電子商店が開設するコンテンツ販売サー
バ装置を想定している。
【０１５５】
図３５は販売サーバの全体構成図、図３６は、図３５中のライセンス生成部４
０３の構成図である。
【０１５６】
まず、販売サーバの全体の処理の流れを示す図３７と図３８を参照して説明す
る。
【０１５７】
販売サーバはクライアントからのコンテンツ購入要求を受信することによって
動作を開始する（ステップＳ４０１）。購入要求情報は図３９に示すように、購
入申込をした顧客のＩＤ情報と、購入したいコンテンツのコンテンツＩＤ（ＣＩ
Ｄ）、購入利用条件、（Ｕｃ）、顧客がコンテンツを記録する記録メディアのメ
ディアＩＤ（ＭＩＤ）、クライアントアドレスからなっている。
【０１５８】
販売サーバは、購入要求情報を受信すると、これを全体制御部４０２へ送り、
購入要求情報に含まれているコンテンツＩＤをコンテンツ検索部４０５に送り、
コンテンツデータベース（ＤＢ）４０７を検索して、コンテンツ復号鍵Ｋｃと販
売金額Ｐ（と場合によっては、暗号化コンテンツＫｃ［Ｃ］）を抽出する（ステ
ップＳ４０２）。
【０１５９】
ここで、暗号化コンテンツＫｃ［Ｃ］を取り出す条件として、例えばコンテン
ツＩＤが十分大きなビット数で表現されており、冗長なビットが存在するならば
冗長ビットのうちの１ビットを暗号化コンテンツを送信するか否かの判別フラグ
とすることができる。
【０１６０】
次に（もしくはコンテンツ検索部４０５における処理と同時に）、全体制御部
４０２は、顧客ＩＤをキーに顧客のクレジット番号を顧客データベース（ＤＢ）
４０８から検索し、検索されたクレジット番号で信用照会を行なう（ステップＳ
４０３ステップＳ４０４）。信用照会の結果支払が可能ならば、以下で詳しく述
べる手順に従って暗号化デジタルライセンス情報を生成し、暗号化デジタルライ
センス情報をクライアントのアドレスに出力する（ステップＳ４０５〜ステップ
Ｓ４０７）。信用照会の結果支払が不可能である場合は、その旨クライアントの
アドレスへ通知する。通知及び出力は電子メールによっても良いし、直接ネット
ワーク接続されている場合には、接続されているネットワークを使えば良い。
【０１６１】
次に、図３６のライセンス生成部４０３の暗号化デジタルライセンス情報の生
成処理について、図３８に示すフローチャートを参照して説明する。
【０１６２】
ライセンス生成部４０３は、コンテンツＤＢ４０７から出力されたコンテンツ
復号鍵Ｋｃと購入要求情報から抽出されたメディアＩＤ（ＭＩＤ）との入力を受
けて処理を開始する（ステップＳ４１１）。
【０１６３】
まず、ライセンス生成部４０３内の制御部４０３ｂによって入力された利用条
件Ｕを決定し、コンテンツ復号鍵Ｋｃと利用条件Ｕから認証子（ＭＡＣ）を生成
して、デジタルライセンス情報Ｌｏを作成する（ステップＳ４１２〜ステップＳ
４１３）。
【０１６４】
次に、入力されたメディアＩＤ（ＭＩＤ）より
ｗ＝ｆ（ＭＩＤ）
によってライセンス鍵ｗを生成する（ステップＳ４１４）。ライセンス鍵生成
部４０３ｃは、ライセンス鍵ｗとデジタルライセンス情報Ｌｏを制御部４０３ｂ
に送り、制御部４０３ｂでは、ライセンス情報Ｌｏを暗号化することによって暗
号化デジタルライセンス情報を生成する（ステップＳ４１５〜ステップＳ４１６
）。
【０１６５】
さらに、サーバ秘密鍵データベース（ＤＢ）４０９から鍵サーバ秘密鍵Ｋｓと
、その秘密鍵のＩＤ（ＫＩＤ）を抽出し（ステップＳ４１７）、暗号化ライセン
ス情報Ｌに秘密鍵Ｋｓでデジタル署名を施し（ステップＳ４１８）、これを付加
して暗号化ライセンＬを作成する。そして作成されたデジタルライセンス情報Ｌ
を出力して処理を終える（ステップＳ４１９）。
【０１６６】
ここで、デジタル署名の作成は公開鍵暗号で行ない、図６と図７に示すデータ
を作成する。デジタル署名ヘッダに含まれるデジタル署名全体長には当該ヘッダ
を含むデジタル署名の長さを、署名の種類には署名方式の種類の識別子を、署名
検証鍵番号には秘密鍵のＩＤ（ＫＩＤ）をそれぞれ入力する。
【０１６７】
以上で、コンテンツ販売装置、すなわち、販売サーバの説明を終了し、次に、
販売に対応したコンテンツ購入装置の仕組みを説明する。コンテンツ購入装置は
再生装置そのもののこともあるが、必ずしもその必要はなく、ネットワーク接続
できるパーソナルコンピュータなどの機器や専用の装置であっても良い。
【０１６８】
図４０にコンテンツ購入装置の構成を示し、以下、図４１〜図４２に示すフロ
ーチャートを参照して、コンテンツ購入装置について説明する。
【０１６９】
コンテンツ購入装置には、コンテンツ選択インタフェース（ＩＦ）５０１を通
じて、購入するコンテンツのコンテンツＩＤが入力され、全体制御部５０２に送
られる（ステップＳ５０１）。コンテンツ選択ＩＦ５０１は、コンテンツＩＤを
キーボードから入力する形式でも良いし、専用の検索ソフトか入力ソフトにより
、ユーザが歌手名や作曲者などをキーに検索し、指定することによって入力して
も良い。
【０１７０】
全体制御部５０２では、コンテンツＩＤの入力を受けて、メディアＩＤ抽出部
５０４を経由して当該コンテンツを記録する（もしくは既に記録されている）メ
ディアからメディアＩＤ（ＭＩＤ）を抽出する（ステップＳ５０２）。
【０１７１】
次に（もしくは同時に）、顧客情報保持部５０５から（購入者の）顧客ＩＤ、
顧客アドレスを抽出し（ステップＳ５０３）、これら抽出された情報を基に図３
９に示すような購入要求情報を販売サーバに送信する（ステップＳ５０４〜ステ
ップＳ５０５）。
【０１７２】
なお、本実施形態では、顧客情報は顧客情報保持部５０５に格納されているが
、この部分を外部からの入力に変えても同様の処理ができる。
【０１７３】
また、購入要求情報に従ってコンテンツ販売装置から暗号化ライセンスＬ（コ
ンテンツ購入装置側に暗号化コンテンツがない場合は暗号化コンテンツＫｃ［Ｃ
］と共に）に送信されてきた時、コンテンツ販売装置はこれらをメディアＩＤを
抽出したメディアに記録する（ステップＳ５１１〜ステップＳ５１２）。
【０１７４】
以上で、コンテンツ購入装置の構成と処理の流れの説明を終了する。以上の構
成からコンテンツ購入装置はコンテンツ再生装置と一体化ができることが分かる
。即ち、図８に示した再生装置の構成は図４０に示した販売クライアントの構成
と機能的に独立であり、両方の機能を備えた装置が構成できる。同様に第２の実
施形態で述べたコンテン記録再生装置との間にも同じ関係が成り立つ。
【０１７５】
このため、コンテンツ販売装置とコンテンツ購入装置を一体化させたシステム
も考えられる。これは、コンテンツ情報の自動販売機のような装置であり、図３
５のコンテンツ販売装置の構成にける課金部４０４を自動販売機における硬貨／
紙幣検出格納装置とし、作成された暗号化ライセンスＬ（及び暗号化コンテンツ
）を図４０のコンテンツ購入装置の構成におけるメディア記録部５０３を経由し
てメディアに記録するようにすれば実現できる。
【０１７６】
このような自動販売機を実現することにより、顧客はメディアを自動販売機に
持参してコンテンツ及びライセンスを購入することができる。勿論、コンテンツ
購入装置単独でも自動販売機を構成できる。その場合は電話回線等によってコン
テンツ販売装置に接続されなければならない。
【図面の簡単な説明】
【０１７７】
【図１】デジタルライセンス情報のデータ構成の一例を示した図。
【図２】暗号化デジタルライセンス情報のデータ構成の一例を示した図。
【図３】ライセンスヘッダのデータ構成の一例を示した図。
【図４】コンテンツ利用条件のデータ構成の一例を示した図。
【図５】アナログライセンス情報のデータ構成の一例を示した図。
【図６】デジタル署名のデータ構成の一例を示した図。
【図７】デジタル署名ヘッダのデータ構成の一例を示した図。
【図８】コンテンツ再生装置の構成例を示した図。
【図９】オリジナルコンテンツ再生部の構成例を示した図。
【図１０】私的複製コンテンツ再生部の構成例を示した図。
【図１１】公的複製コンテンツ再生部の構成例を示した図。
【図１２】図８のコンテンツ再生装置の処理動作を説明するためのフローチャート。
【図１３】オリジナルコンテンツ再生処理動作を説明するためのフローチャート。
【図１４】私的複製コンテンツ再生処理動作を説明するためのフローチャート。
【図１５】公的複製コンテンツ再生処理動作を説明するためのフローチャート。
【図１６】暗号化コンテンツ復号部の構成例を示した図。
【図１７】暗号化ライセンス復号部の構成例を示した図。
【図１８】暗号化コンテンツ復号処理動作を説明するためのフローチャート。
【図１９】暗号化ライセンス復号処理動作を説明するためのフローチャート。
【図２０】暗号化デジタルライセンス情報の他の例を示した図で、デジタル署名を用いない場合を示したものである。
【図２１】コンテンツ記録装置の構成例を示した図。
【図２２】私的複製コンテンツ作成部の構成例を示した図。
【図２３】オリジナルコンテンツ作成部の構成例を示した図。
【図２４】図２１のコンテンツ記録装置の処理動作を説明するためのフローチャート。
【図２５】私的複製コンテンツ作成処理動作を説明するためのフローチャート。
【図２６】私的複製コンテンツ作成処理動作を説明するためのフローチャート。
【図２７】オリジナルコンテンツ作成処理動作を説明するためのフローチャート。
【図２８】オリジナルコンテンツ作成処理動作を説明するためのフローチャート。
【図２９】オリジナルコンテンツ作成処理動作を説明するためのフローチャート。
【図３０】複製形態情報のデータ構成の一例を示した図。
【図３１】複製形態情報中の利用条件情報のデータ構成の一例を示した図。
【図３２】コンテンツ記録装置の他の構成例を示したもので、記録するコンテンツがアナログ信号の場合を示したものである。
【図３３】図３２のコンテンツ記録装置の処理動作を説明するためのフローチャート。
【図３４】図３２のコンテンツ記録装置の処理動作を説明するためのフローチャート。
【図３５】コンテンツ販売装置（販売サーバ）の構成例を示した図。
【図３６】図３５のコンテンツ販売装置のライセンス生成部の構成例を示した図。
【図３７】図３５のコンテンツ販売装置の処理動作を説明するためのフローチャート。
【図３８】ライセンス生成処理動作を説明するためのフローチャート。
【図３９】購入要求情報のデータ構成の一例を示した図。
【図４０】コンテンツ購入装置の構成例を示した図。
【図４１】図４０のコンテンツ購入装置の処理動作を説明するためのフローチャート。
【図４２】図４０のコンテンツ購入装置の処理動作を説明するためのフローチャート。
【符号の説明】
【０１７８】
（コンテンツ再生装置）
１…全体制御部
２…コンテンツ入力部
３…再生インタフェース（ＩＦ）部
４…私的複製コンテンツ再生部
５…公的複製コンテンツ再生部
６…オリジナルコンテンツ再生部
７…デジタル出力部
８…アナログ出力部
（コンテンツ記録装置）
２０１…全体制御部
２０２…コンテンツ入力部
２０３…記録インタフェース（ＩＦ）部
２０４…私的複製コンテンツ作成部
２０５…オリジナルコンテンツ作成部
２０６…メディアＩＤ取得部
２０７…ライセンス記録部
２０８…コンテンツ記録部
（コンテンツ販売装置）
４０１…コンテンツ購入受付部
４０２…全体制御部
４０３…ライセンス生成部
４０４…課金部
４０５…コンテンツ検索部
４０６…出力部
４０７…コンテンツデータベース（ＤＢ）
４０８…顧客データベース（ＤＢ）
４０９…サーバ秘密鍵データベース（ＤＢ）
（コンテンツ購入装置）
５０１…コンテンツ選択インタフェース（ＩＦ）
５０２…全体制御部
５０３…メディア記録部
５０４…メディアＩＤ抽出部
５０５…顧客情報保持部
５０６…コンテンツ入力部
【図１】
2008210504.tif 000003
【図２】
2008210504.tif 000004
【図３】
2008210504.tif 000005
【図４】
2008210504.tif 000006
【図５】
2008210504.tif 000007
【図６】
2008210504.tif 000008
【図７】
2008210504.tif 000009
【図８】
2008210504.tif 000010
【図９】
2008210504.tif 000011
【図１０】
2008210504.tif 000012
【図１１】
2008210504.tif 000013
【図１２】
2008210504.tif 000014
【図１３】
2008210504.tif 000015
【図１４】
2008210504.tif 000016
【図１５】
2008210504.tif 000017
【図１６】
2008210504.tif 000018
【図１７】
2008210504.tif 000019
【図１８】
2008210504.tif 000020
【図１９】
2008210504.tif 000021
【図２０】
2008210504.tif 000022
【図２１】
2008210504.tif 000023
【図２２】
2008210504.tif 000024
【図２３】
2008210504.tif 000025
【図２４】
2008210504.tif 000026
【図２５】
2008210504.tif 000027
【図２６】
2008210504.tif 000028
【図２７】
2008210504.tif 000029
【図２８】
2008210504.tif 000030
【図２９】
2008210504.tif 000031
【図３０】
2008210504.tif 000032
【図３１】
2008210504.tif 000033
【図３２】
2008210504.tif 000034
【図３３】
2008210504.tif 000035
【図３４】
2008210504.tif 000036
【図３５】
2008210504.tif 000037
【図３６】
2008210504.tif 000038
【図３７】
2008210504.tif 000039
【図３８】
2008210504.tif 000040
【図３９】
2008210504.tif 000041
【図４０】
2008210504.tif 000042
【図４１】
2008210504.tif 000043
【図４２】
2008210504.tif 000044